(57)【要約】【目的】タバコの火を容易かつ完全に消すことができるとともに、蝶番が壊れ難く、遊技者がゲームを中断することなく、タバコや携帯電話を操作できる灰皿を提供する。【構成】灰皿１は、パチンコ台等の遊技機の前面側に設けられた物置台２に取り付けられ、タバコの吸殻を受け止める灰皿本体１１と、灰皿本体１１と蝶番１２ｂによって連結された蓋１２とを備えており、蓋１２の裏面には消火筒１２ａが設けられており、蝶番１２ｂの後側には物品ホルダ１３が設けられている。【選択図】        図１
2004201800.tif 000002
【特許請求の範囲】
【請求項１】
パチンコ台等の遊技機の前面側に設けられた物置台に取り付けられ、タバコの吸殻を受け止める灰皿本体と、該灰皿本体と蝶番によって連結された蓋とを備えた灰皿であって、前記蓋の裏面に消火筒が設けられていることを特徴とする灰皿。
【請求項２】
パチンコ台等の遊技機の前面側に配置された物置台に取り付けられ、タバコの吸殻を受け止める灰皿本体と、該灰皿本体と蝶番によって連結された蓋とを備えた灰皿であって、前記蝶番の後側に物品ホルダが設けられていることを特徴とする灰皿。
【発明の詳細な説明】
【０００１】
【産業上の利用分野】
この発明は吸殻回収装置の一部を構成する灰皿に関し、特に、タバコを容易に消火することができるとともに、タバコの取り出し、着火、消火などを片手で行なうことができる灰皿に関する。
【０００２】
【従来の技術】
パチンコホールやパチスロホールなどの遊技機店では、パチンコ台などの前面側に設けられた物置台に、喫煙する遊技者のための灰皿が取付けられている。この灰皿は、ホール店員により手作業で清掃されることもあるが、近年では、ホール店員のタバコの吸殻回収の手間を省き、遊技者の遊技進行を止めないため、いわゆる吸殻回収システムが利用されるようになってきている（特許文献１参照）。
【０００３】
吸殻回収システムは、物置台の上面に設けられ、その底面に投入口が穿孔された灰皿と、物置台の内部に設けられた搬送ベルトと、物置台端部に設けられた吸殻回収部等から構成されている。そして、遊技者によって灰皿に投入されたタバコの吸殻は、灰皿の投入口を通って搬送ベルトの上に落ち、該搬送ベルトにて吸殻回収部に搬送され、該吸殻回収部において不燃性ガスによって消火されたのちに回収される。
【０００４】
このような吸殻回収システムにおいては、その中核をなす搬送ベルトや吸殻回収装置についても様々な改良が行われているが、遊技者と直接向き合う灰皿についても当然改良が行われており、例えば蓋つきの灰皿（特許文献２参照）などもすでに利用されている。
【０００５】
【特許文献１】
特許第２８５８１０６号公報
【特許文献２】
意匠登録第１１４７９２２号公報
【０００６】
【発明が解決しようとする課題】
しかし、従来からある吸殻回収システムやその一部である灰皿には、次に掲げるような問題があった。まず、タバコを灰皿の底面にこすりつけて消すため、消えるまでに煙が出て近隣に迷惑を掛けるとともに、消すのに手間がかかったり、タバコが途中で折れて無駄になるという問題点があった。また、吸殻をこのようにして消火しても、完全には消火していないため、投入口から搬送ベルトに投入しても搬送される間に煙を出し、物置台内部を汚染してシステムのメンテナンス性を下げるとともに、完全に消火するために多量の不燃性ガスを必要とするとの問題点があった。さらに、蓋つきの灰皿においては、遊技者が蓋を開ける際の力加減によっては、灰皿本体と蓋とを連結する蝶番が破損することもあった。加えて、遊技者がタバコや携帯電話を使用する際には、ゲームを中断して両手を使わなければならないとの問題点もあった。
【０００７】
そこで、この発明は、タバコの火を容易かつ完全に消すことができるとともに、蝶番が壊れ難く、遊技者がゲームを中断することなく、タバコや携帯電話を操作できる灰皿を提供することを目的とする。
【０００８】
【課題を解決するための手段】
すなわち、この発明にかかる灰皿は、パチンコ台等の遊技機の前面側に設けられた物置台に取り付けられ、タバコの吸殻を受け止める灰皿本体と、該灰皿本体と蝶番によって連結された蓋とを備えた灰皿であって、前記蓋の裏面に消火筒が設けられていることを特徴とする。
【０００９】
このように、蓋の裏面側に設けられている消火筒にタバコを差し込むことによって、タバコを折ることなく、その火を完全に消すことができる。
【００１０】
また、この発明にかかる灰皿は、パチンコ台等の遊技機の前面側に配置された物置台に取り付けられ、タバコの吸殻を受け止める灰皿本体と、該灰皿本体と蝶番によって連結された蓋とを備えた灰皿であって、前記蝶番の後側に物品ホルダが設けられていることを特徴とする。
【００１１】
このように、灰皿本体と蓋とを連結する蝶番の後側に物品ホルダが設けられているため、遊技者が蓋を開ける際に力任せに開いても、物品ホルダが邪魔になってとまるため、蝶番は壊れない。また、遊技者が、物品ホルダにタバコ容器や携帯電話などを一時的に収容し、これらを片手で簡単に取り扱うこともできる。そのため、遊技者はゲームにより集中することができ、その結果として遊技機の稼働率をより高めることもできる。
【００１２】
【発明の実施の形態】
以下、この発明の一実施の形態について図面に基づいて説明する。
【００１３】
図１は、この発明に係る灰皿１の蓋１２を開けた状態を示す図であり、図２は蓋１２を閉じ、物品ホルダ１３からタバコの箱などを除いた状態を示す図である。なお、図示はしないが、物置台２の内部には、従来と同様に、タバコの吸殻を物置台２端部に設けられた吸殻回収容器に搬送する搬送ベルトが配置されている。
【００１４】
これらの図に示すように、灰皿１はパチンコ台等の遊技機の前面側に設けられた物置台２の上に取り付けられている。また、灰皿１は、灰皿本体１１と、蓋１２と、物品ホルダ１３とを備えている。さらに、灰皿本体１１と蓋１２とは後述する蝶番１２ｂによって連結しており、物品ホルダ１３は、後述するように、灰皿本体１１後部に穿設された取付穴１１ｂに物品ホルダ１３の取付部１３ａの先端部を差し込むことによって、灰皿本体１１に取付けている。つぎに、灰皿１を構成する灰皿本体１１、蓋１２、物品ホルダ１３について詳説する。
【００１５】
まず、灰皿本体１１は、中央が窪んだ皿形状をしており、その中央部には、搬送ベルトとつながる投入口１１ａが設けてあり、その後部には図３に示すように取付穴１３ｂが設けてある。また、蓋１２はその裏面側中央部に消火筒１２ａが設けてあり、灰皿本体１１と蝶番１２ｂによって連結している。ここで、消火筒１２ａの直径はタバコの太さよりもやや太く、長さは、１〜２ｃｍ程度である。さらに、図４に示すように、物品ホルダ１３は、物品ホルダ１３を灰皿本体１１に取り付ける取付部１３ａと、タバコや携帯電話などを保持する物品保持部１３ｂとを備えている。
【００１６】
このように、蓋１２の裏面側中央部に設けた消火筒１２ａに、タバコの火のついている部分を差し込むことにより、タバコを折ることなく、その火を容易かつ完全に消すことができた。また、消火筒１２ａが蓋１２の裏面側に設けられているため、蓋１２を閉じることにより、消火筒１２ａに溜まった灰を除去することもできた。
【００１７】
また、灰皿本体１１と蓋１２とを連結する蝶番の後側に物品ホルダ１３が設けられているので、遊技者が蓋を開ける際に力を掛け過ぎても、蓋１２が物品ホルダ１３にあたって止まるので、蝶番が破損することはなかった。また、遊技者が、物品ホルダ１３にタバコ容器や携帯電話などを一時的に収容し、収容したものを片手で簡単に取り扱うこともできた。そのため、遊技者はゲームにより集中することができ、その結果として遊技機の稼働率をより高めることもできた。
【００１８】
なお、この発明は上記実施例に限定されるわけではなく、特許請求の範囲に記載された技術的範囲内で様々な変形を加えてもよい。
【００１９】
例えば、上記実施例では物品保持部が、横一線形状であったが、この他に、例えば箱形状であってもよい。また、物品ホルダと灰皿本体とは嵌め込みにより連結しているが、この他に、例えば灰皿本体の後部に物品ホルダを溶接したり、灰皿本体と物品ホルダを一体として成形してもよい。
【００２０】
【発明の効果】
この発明にかかる灰皿は、蓋の裏面側に消火筒が設けられており、この消火筒にタバコの火のついている部分を差し込むことにより、タバコを折ることなく、その火を容易かつ完全に消すことができる。また、消火筒が蓋の裏面側に設けられているため、蓋を閉じることにより、消火筒に溜まった灰を除去することもできる。
【００２１】
また、この発明にかかる灰皿は、灰皿本体と蓋とを連結する蝶番の後側に物品ホルダが設けられているので、遊技者が蓋を開ける際に力を掛け過ぎても、蓋が物品ホルダにあたって止まるので、蝶番が破損することはない。加えて、遊技者が、物品ホルダにタバコ容器や携帯電話などを一時的に収容し、これらを片手で簡単に取り扱うこともできる。そのため、遊技者はゲームにより集中することができ、その結果として遊技機の稼働率をより高めることもできる。
【図面の簡単な説明】
【図１】この発明に係る灰皿の蓋を開けて、タバコを消火筒に挿した状態を示す図である。
【図２】この発明に係る灰皿の蓋を閉じた状態を示す図である。
【図３】灰皿本体を後側から見た図である。
【図４】物品ホルダの外観を示す図である。
【符号の説明】
１      灰皿
１１    灰皿本体
１１ａ  投入口
１１ｂ  取付穴
１２    蓋
１２ａ  消火筒
１２ｂ  蝶番
１３    物品ホルダ
１３ａ  取付部
１３ｂ  物品保持部
【図１】
2004201800.tif 000003
【図２】
2004201800.tif 000004
【図３】
2004201800.tif 000005
【図４】
2004201800.tif 000006